(57)【要約】      （修正有）【課題】テラヘルツ波帯電磁波を放射する鉱物を突起部を有する形状にして患部に貼り付け、凝り、炎症、その他の症状を治癒、改善させる貼付治療具を提供する。【解決手段】テラヘルツ波帯電磁波を放射する押圧体２と、該押圧体を貼り付けておく粘着シート３とで構成する。押圧体は高純度シリコン単結晶又は高純度シリコン多結晶を用いて薄い円板部の上に円錐部を一体成形で形成し、円錐部の頂部は丸みを帯びた形状とする。粘着シートは円形の布又はプラスチックフィルムの片面に粘着層３ｂを形成して構成する。貼付治療具１は粘着シートの粘着層中央部に前記押圧体をその円板部下面を貼り付けて構成する。使用に際しては、押圧体の円錐部を患部に押しつけた状態で粘着シートの粘着層にて患部に貼り付けて使用する。【選択図】図１
0003216652.tif 000002
【実用新案登録請求の範囲】
【請求項１】
テラヘルツ波帯電磁波を放射する鉱物を使用した貼付治療具であって、
該貼付治療具はテラヘルツ波帯電磁波を放射する押圧体と、該押圧体を貼り付けておく粘着シートから構成され、
前記押圧体は高純度シリコン単結晶又は高純度シリコン多結晶を用いて円板部の上に円錐部を形成した形状に一体成形され、円錐部の頂部は丸みを帯びた形状にされており、
前記粘着シートは円形の布又はプラスチックフィルムの片面に粘着層を形成して構成されており、
貼付治療具は前記粘着層中央部に前記押圧体をその円板部下面を貼り付けて構成されており、
使用に際しては、前記押圧体の円錐部の頂部を患部に押しつけた状態で前記粘着シートの粘着層にて患部に貼り付けるように構成されていることを特徴とする貼付治療具。
【請求項２】
請求項１に記載の貼付治療具において、前記円錐部における高さ方向中間部の周囲には、円錐面に直角な断面凹状の溝が形成してあることを特徴とする貼付治療具。
【請求項３】
請求項１に記載の貼付治療具において、前記円錐部における高さ方向を３分割する二つの分割位置周囲には、円錐面に直角な断面半円形の溝が形成してあることを特徴とする貼付治療具。
【考案の詳細な説明】
【技術分野】
【０００１】
本考案はテラヘルツ波帯電磁波を放射する鉱物を円錐状突起部を有する形状にして粘着シートに取り付けたもので、突起部を患部に押しつけた状態で粘着シートで貼り付け、凝り、炎症、その他の症状を治癒、改善させる貼付治療具に関する。
【背景技術】
【０００２】
テラヘルツ波帯電磁波は周波数が１ＴＨｚ（波長３００μｍ）前後の電磁波であり、赤外線とミリ波の中間帯に位置する。波長が赤外線より長いため人体への浸透度は赤外線より高く、生体に放射した場合には生体の細胞を活性化させて新陳代謝を促し、凝りや炎症を改善させることが知られている。このためテラヘルツ波を発生する照射装置を用いてテラヘルツ波を患部に照射したり、テラヘルツ波を発生する鉱物を皮膚に押しつけたり、貼り付けたりして皮膚近傍の様々な症状を改善させる治療具が提案されている（特許文献１〜３）。
【０００３】
テラヘルツ波を発生させる鉱物を皮膚に接触させる治療具としては、特許文献１に開示されたものがある。この文献には、テラヘルツ波を放射する鉱物を手で持って患部に押しつける治療具と、テラヘルツ波を放射する鉱物を粒状にして粘着層を有するシートに貼り付け、粒状鉱物の突起部を皮膚に押し当てた状態で貼り付ける治療器具が開示されている。しかし、皮膚に貼り付ける方式の治療器具については請求項２に記載されているが、その請求項の記載と、それに関する詳細説明は極めて曖昧で疑問点が多い。例えば、「前記突起部は、粒状に形成され、」と書かれているが、その「粒状」の形状、「突起」の形状は説明されていない。また、「前記突起部は、金属鉱物又はケイ素化合物以外の非金属鉱物を主体とした中心部と、該中心部を被覆するケイ素化合物を主体としたコーティング層と、を有するテラヘルツ波長域の電磁波を放射する鉱物体からなる−−」と書かれている。しかし、「ケイ素化合物」の種類は非常に多いのに、その化合物の例が一切、書かれていない。例えば、ガラスの主成分である酸化珪素（ＳｉＯ２）は「ケイ素化合物」であるが、ガラスでも効果が発揮されるのか。「コーティング層」と書かれているが、その厚みの説明が記載されていない。１μｍの厚さの「コーティング層」でも効果が発揮されるのか。「ケイ素化合物」である「ガラス」を１μｍの厚さでコーティングしただけで効果が発揮されるのか、極めて疑問である。この特許の記載は特許法に規定された特許請求範囲の記載、詳細説明の記載の要件を満たしておらず、無効理由を有していると思われる。
【先行技術文献】
【特許文献】
【０００４】
【特許文献１】特許第５３９８０９４号公報
【特許文献２】特開２００９−２４０７４９号公報
【特許文献３】特開２０１４−２３５９８号公報
【考案の開示】
【考案が解決しようとする課題】
【０００５】
本考案は、従来技術のこうした問題点を解決するためになされたもので、その課題は、テラヘルツ波帯電磁波を放射する鉱物を円錐状突起部を有する形状にして患部に貼り付け、凝りや炎症、その他の症状を治癒、改善させる貼付治療具を提供することにある。
【課題を解決するための手段】
【０００６】
前記課題を解決するための請求項１に記載の考案は、テラヘルツ波帯電磁波を放射する鉱物を使用した貼付治療具であって、該貼付治療具はテラヘルツ波帯電磁波を放射する押圧体と、該押圧体を貼り付けておく粘着シートから構成され、前記押圧体は高純度シリコン単結晶又は高純度シリコン多結晶を用いて円板部の上に円錐部を形成した形状に一体成形され、円錐部の頂部は丸みを帯びた形状にされており、  前記粘着シートは円形の布又はプラスチックフィルムの片面に粘着層を形成して構成されており、貼付治療具は前記粘着層中央部に前記押圧体をその円板部下面を貼り付けて構成されており、使用に際しては、前記押圧体の円錐部の頂部を患部に押しつけた状態で前記粘着シートの粘着層にて患部に貼り付けるように構成されていることを特徴とする貼付治療具である。
【０００７】
このような構成により押圧体円錐部の頂部を患部に押しつけた状態で粘着シートにて患部に貼り付けておけば、押圧体を構成する高純度シリコンからテラヘルツ波帯電磁波が放射されて患部に浸透し、凝り、炎症、その他の症状が治癒、改善される。更に、押圧体の円錐部の尖った頂部が患部に押しつけられるため指圧効果も発揮される。
【０００８】
また、請求項２に記載の考案は、請求項１に記載の貼付治療具において、前記円錐部における高さ方向中間部の周囲には、円錐面に直角な断面凹状の溝が形成してあることを特徴とする貼付治療具である。
【０００９】
このような構成の貼付治療具は請求項１に記載の考案と同様の効果を奏する。凹状溝の開口部の縁は直角に尖っているため、その部分からテラヘルツ波帯電磁波が強く放射される効果がある。更に、凹状溝の開口部の尖った角が患部に押しつけられるため指圧効果が高まる効果がある。
【００１０】
また、請求項３に記載の考案は、請求項１に記載の貼付治療具において、前記円錐部における高さ方向を３分割する二つの分割位置周囲には、円錐面に直角な断面半円形の溝が形成してあることを特徴とする貼付治療具である。
【００１１】
このような構成の貼付治療具は請求項１に記載の考案と同様の効果を奏する。断面半円形の溝の開口部の縁は直角に尖っているため、その部分からテラヘルツ波帯電磁波が強く放射される効果がある。更に、断面半円形溝の開口部の尖った角が患部に押しつけられるため指圧効果が高まる効果がある。
【図面の簡単な説明】
【００１２】
【図１】第１の実施形態に係る貼付治療具１の斜視図である。
【図２】貼付治療具１の正面図である。
【図３】貼付治療具１の底面図である。
【図４】貼付治療具１の使用状態を示す断面図である。
【図５】第２の実施形態に係る貼付治療具１１の斜視図である。
【図６】貼付治療具１１の正面図である。
【図７】貼付治療具１１の底面図である。
【図８】貼付治療具１１の断面図である。
【図９】貼付治療具１１の使用状態を示す断面図である。
【図１０】第３の実施形態に係る貼付治療具２１の斜視図である。
【図１１】貼付治療具２１の正面図である。
【図１２】貼付治療具２１の底面図である。
【図１３】貼付治療具２１の断面図である。
【図１４】貼付治療具２１の使用状態を示す断面図である。
【考案を実施するための形態】
【００１３】
以下、本考案に係る貼付治療具の構成例を実施形態に分けて説明する。
（第１の実施形態）
図１は第１の実施形態に係る貼付治療具１の斜視図、図２は正面図、図３は底面図である。右側面図、左側面図は図３の底面図を紙面に垂直な軸周りに９０度、−９０度回転した図になる。貼付治療具１はテラヘルツ波帯電磁波を放射する押圧体２と、該押圧体２を患部に貼り付けておくための粘着シート３から構成される。
【００１４】
テラヘルツ波帯電磁波は、「背景技術」で説明したように周波数１ＴＨｚ（波長３００μｍ）前後の電磁波であり、赤外線とミリ波の中間帯に位置する。自然界に存在する殆ど全ての物質は、多かれ少なかれテラヘルツ波帯電磁波を放射している。本発明ではテラヘルツ波帯電磁波を放射する物質として、テラヘルツ波帯電磁波の放射効率が比較的高い高純度シリコンを採用している。シリコン化合物（珪素化合物）ではなく、シリコンそのものを採用している。その純度は９９％以上であることが好ましい。高純度シリコンは多結晶でもよいし、単結晶でもよい。シリコンのテラヘルツ波帯電磁波放射効率が比較的高いのは、シリコン原子のエネルギーバンド構造が影響していると思われる。
【００１５】
本実施形態の押圧体２には高純度多結晶シリコンを採用している。押圧体２は、図３に示すように薄い円板部２ａの上に円錐部２ｂを形成したもので、円板部２ａと円錐部２ｂは一体成形されている。円錐部２ｂの頂部３ｃは、小さな丸みを帯びた形状にされている。円板部２ａは直径８ｍｍ程度、厚み１ｍｍ程度で、円錐部２ｂの高さは２ｍｍ程度である。粘着シート３は基材層３ａとしての円形の布又はプラスチックフィルムの片面に粘着層３ｂを形成したものである。粘着シート３の直径は２２ｍｍ程度である。貼付治療具１は、その粘着シート３中央部の粘着層３ｂに押圧体２の円板部２ａ下面を貼り付けて構成してある。
【００１６】
図４は、貼付治療具１を人体表面の患部４に貼り付けて使用している状態の断面図である。押圧体２の円錐部２ｂを患部に押しつけた状態で粘着シート３の粘着層３ｂにて患部４に貼り付けて使用する。押圧体２のシリコンから放射されたテラヘルツ波帯電磁波は患部４に浸透し、その部分の細胞を活性化して新陳代謝を促し、凝りや炎症を改善させる効果を発揮する。放送用電波のアンテナで知られるように、金属体からの電波の放射は、金属体の尖った部分から強く放射される。テラヘルツ波帯電磁波はミリ波に近い電磁波であるため、円錐部２ｂの尖った頂部３ｃ付近から特に強く放射される。このため押圧体２をこのような形状にしておくことで治療、改善の効果が高まる。更に、円錐部２ｂの尖った頂部３ｃが患部４を押しつけられるため指圧効果も発揮される。
【００１７】
（第２の実施形態）
図５は第２の実施形態に係る貼付治療具１１の斜視図、図６は正面図、図７は底面図、図８は図６の正面図におけるＡ−Ａ線に沿った断面図である。右側面図、左側面図は図７の底面図を紙面に垂直な軸周りに９０度、−９０度回転した図になる。この貼付治療具１１もテラヘルツ波帯電磁波を放射する押圧体１２と、該押圧体１２を患部に貼り付けておくための粘着シート１３から構成される。
【００１８】
この貼付治療具１１が第１の実施形態に係る貼付治療具１と異なる点は、押圧体１２の円錐部１２ｂの高さ方向中間部の周囲に断面矩形の凹状溝１２ｄが形成して点である。凹状溝１２ｄは円錐部１２ｂの斜面表面に垂直に形成されている。使用方法は第１の実施形態に係る貼付治療具１と同様であり、図９は貼付治療具１１を人体表面の患部４に貼り付けて使用している状態の断面図である。
【００１９】
金属体からの電波の放射は、金属体の尖った部分から強く放射される。貼付治療具１１の断面凹状の溝１２ｄの開口部の縁は直角に尖っている。そのため、この部分からテラヘルツ波帯電磁波が強く放射される。更に、凹状溝１２ｄの開口部の尖った角が患部４に押しつけられて指圧効果が高まる効果がある。
【００２０】
（第３の実施形態）
図１０は第３の実施形態に係る貼付治療具２１の斜視図、図１１は正面図、図１２は底面図、図１３は図１１の正面図におけるＡ−Ａ線に沿った断面図である。右側面図、左側面図は図１３の底面図を紙面に垂直な軸周りに９０度、−９０度回転した図になる。この貼付治療具２１もテラヘルツ波帯電磁波を放射する押圧体２２と、該押圧体２２を患部に貼り付けておくための粘着シート２３から構成される。
【００２１】
この貼付治療具２１が第１の実施形態に係る貼付治療具１と異なる点は、押圧体２２の円錐部２２ｂの高さ方向１／３、２／３の中間部の周囲に二つの断面半円形の溝２２ｄ１、２２ｄ２が形成してある点である。各断面半円形溝２２ｄ１、２２ｄ２は円錐部２２ｂの斜面表面に垂直に形成されている。第２の実施形態の凹状溝１２ｄは断面矩形の凹状であったのに対し、本実施形態の溝２２ｄ１、２２ｄ２は断面が半円形に形成されている点が異なる。使用方法は第１、２の実施形態に係る貼付治療具１、１１と同様であり、図１４は貼付治療具２１を人体表面の患部４に貼り付けて使用している状態の断面図である。
【００２２】
金属体からの電波の放射は、金属体の尖った部分から強く放射される。貼付治療具２１の断面半円形溝２２ｄ１、２２ｄ２の開口部の縁は直角に尖っているため、この部分からテラヘルツ波帯電磁波が強く放射される効果がある。更に、断面半円形溝２２ｄ１、２２ｄ２の開口部の尖った角が患部４を押しつけられて指圧効果が高まる効果がある。
【符号の説明】
【００２３】
図面中、１、１１、２１は貼付治療具、２、１２、２２は押圧体、３、１３、２３は粘着シート、２ａ、１２ａ、２２ａは円板部、２ｂ、１２ｂ、２２ｂは円錐部、２ｃ、１２ｃ、２２ｃは頂部、３ｂ、１３ｂ、２３ｂは粘着層、１２ｄは凹状溝、２２ｄ１、２２ｄ２は断面半円形溝を示す。
【図１】
0003216652.tif 000003
【図２】
0003216652.tif 000004
【図３】
0003216652.tif 000005
【図４】
0003216652.tif 000006
【図５】
0003216652.tif 000007
【図６】
0003216652.tif 000008
【図７】
0003216652.tif 000009
【図８】
0003216652.tif 000010
【図９】
0003216652.tif 000011
【図１０】
0003216652.tif 000012
【図１１】
0003216652.tif 000013
【図１２】
0003216652.tif 000014
【図１３】
0003216652.tif 000015
【図１４】
0003216652.tif 000016